(57)【要約】【課題】従来のＵ形接点ばね片を使用した極めて薄形のスイッチは、プッシュレバーに極めて小形で狭幅なばね片（例、１．０ｍｍ以下）を一体的に取付けて数１０万回のスイッチ作用に耐久できるように安定的に構成することが困難な課題、及びＵ形接点ばね片にスイッチとして要求される弾力を付与することが困難な課題があった。【解決手段】２重接点ばね片１ａ、１ｂを強固な金属製のばね片ホルダー５にかしめ付け等の固着手段で一体的に固着して設けた接点ばね片ユニットＡをプッシュレバー１０の下面に取付け両者を一体としたプッシュレバーユニットＢを設け、該プッシュレバーユニットＢをケース１３内に挿入して、外側接点ばね片１ａの接点ａをケース１３の固定接点１５に接触（ＯＮ）し、内側接点ばね片１ｂの接点ａ´を固定接点１６と離隔（ＯＦＦ）した状態に各相対して備えると共に、操作部１２をケース１３外に突出して備えた、極めて小型かつ薄型で安定性、耐久性に優れたプッシュスイッチを提供して課題を解決した。【選択図】図２
2004063450.tif 000002
【特許請求の範囲】
【請求項１】
支持部とＵ形部と先端を接点とした接点部からなる狭長な２枚のＵ形の接点ばね片を、外側接点ばね片の接点を内側接点ばね片の接点の前方にずらして重合して２重接点ばね片とし、
該２重接点ばね片の支持部を固着する取付部と、Ｕ形部及び接点部をカバーするＵ形部カバー及び接点部カバーからなり、Ｕ形部カバーの両側面に小支軸を突設したばね片ホルダーを金属片を曲成して設け、該ばね片ホルダーの内側に上記２重接点ばね片を、その支持部と接点部を内方に圧縮した蓄力状態で嵌合すると共に支持部を取付部にかしめ付け等の固着手段で一体的に固着して接点ばね片ユニットを設け、
一方端の支軸と他方端の山形の操作部からなり、ケース等に枢支した該支軸を中心として操作部を設定角度回動自在に備えたプッシュレバーを設け、
該プッシュレバーの下面に上記接点ばね片ユニットの取付部を連係すると共に、同プッシュレバーの支軸の中心孔に接点ばね片ユニットの小支軸を同心軸状に嵌合して、プッシュレバーと接点ばね片ユニットを組合せたプッシュレバーユニットを設け、
該プッシュレバーユニットをケース内に挿入し、その支軸をケースの軸孔に枢支して設定角度回動自在に取付け、２重接点ばね片の外側接点ばね片の接点をケースの固定接点に接触（ＯＮ）し、内側接点ばね片の接点をケースの固定接点と離隔（ＯＦＦ）相対して備えると共に、該プッシュレバーユニットを２重接点ばね片の復元弾力で支軸を中心として上方付勢回動してその操作部をケース外に突出して備えたものである、
プッシュレバースイッチ。
【請求項２】
接点ばね片ユニットの、２重接点ばね片の支持部とばね片ホルダーの取付部を固着する手段は、外側接点ばね片の支持部の両側に突設した小突片を内側接点ばね片の支持部及びばね片ホルダーの取付部に巻き付けかしめ付けて一体的に固着するなど、３者を一体的に固着する手段であればかしめ付け、溶接、ハンダ付け、接着剤接着など適宜である、
請求項１のプッシュレバースイッチ。
【請求項３】
外側接点ばね片は支持部とＵ形部と先端を接点とした接点部からなり、支持部の両側に小突片を突設すると共に内側接点ばね片は支持部とＵ形部と先端を接点とした接点部からなり、支持部の先端にコ形部を形成すると共に接点部を外側接点ばね片の接点部より短く形成して設け、ばね片ホルダーは取付部とＵ形部カバーと接点部カバーからなり、Ｕ形部カバーの両側面に小支軸を突設して設け、
上記の外側接点ばね片と内側接点ばね片を重合して２重接点ばね片とし、該２重接点ばね片をばね片ホルダーの内側にその支持部と接点部を内方に圧縮した蓄力状態で嵌合すると共に、外側接点ばね片の支持部の両側に突設した小突片を内側接点ばね片の支持部及びばね片ホルダーの取付部に巻き付け両先端を取付部にかしめ付けて３者を一体的に固着して、接点ばね片ユニットを設けたものである、請求項１のプッシュレバースイッチ。
【請求項４】
接点ばね片ユニットをプッシュレバーに取付けてプッシュレバーユニットを設ける手段は、プッシュレバーの一方端下部に接点ばね片ユニットのＵ形部カバーを挿入する凹部を形成し、該凹部の左右側に支軸を突設し、該支軸の中心に中心孔をあけると共に該中心孔と支軸下面の間にスリットをあけて備え、接点ばね片ユニットを上記凹部に嵌挿してその両側の小支軸を上記スリットを通して該中心孔に嵌合して両軸を同心軸状に取付ける一方、プッシュレバーの下面に突設したリブに接点ばね片ユニットの内側接点ばね片のコ形部を、該接点ばね片ユニット先端の左右振れを防止する状態に嵌合するように備えたものである、
請求項１のプッシュレバースイッチ。
【請求項５】
接点ばね片ユニットをケース内に挿入し、そのＵ形部カバーの支軸をケースの軸孔に軸架して設定角度回動自在に枢支すると共に外側接点ばね片の接点をケースの固定接点に接触（ＯＮ）し、該接点ばね片ユニットの取付部上に押ボタンの支持部を位置せしめ、外側接点ばね片の復元弾力で接点ばね片ユニットを上方付勢回動すると共に押ボタンのボタン部をケース外に突出して備え、また、内側接点ばね片の接点をケースの固定接点と離隔（ＯＦＦ）して備えた、
押ボタンスイッチ。
【請求項６】
支持部とＵ形部と先端を接点とした接点部からなる２枚のＵ形の接点ばね片を、外側接点ばね片の接点を内側接点ばね片の接点の前方にずらして重合して２重接点ばね片とし、
該２重接点ばね片の支持部、Ｕ形部及び接点部をカバーする取付部、Ｕ形部カバー及び接点部カバーからなり、Ｕ形部カバーの両側面に小支軸を突設したばね片ホルダーを金属片を曲成して設け、該ばね片ホルダーのＵ形部カバー内に上記２重接点ばね片を、その支持部と接点部を内方に圧縮した蓄力状態で嵌合すると共に支持部を取付部にかしめ付け等の固着手段で一体的に固着して備えたものである、
各種スイッチ用の接点ばね片ユニット。
【発明の詳細な説明】
【０００１】
【産業上の利用分野】
２重にした接点ばね片をばね片ホルダーにかしめ付け等の固着手段で一体的に固着して設けた接点ばね片ユニットをプッシュレバーの下面に取付け両者を一体としたプッシュレバーユニットを設け、
該プッシュレバーユニットをケース内に挿入して、外側接点ばね片の接点をケースの固定接点に接触（ＯＮ）し、内側接点ばね片の接点を固定接点と離隔（ＯＦＦ）した状態に各相対して備えると共に、操作部をケース外に突出して備えたプッシュレバースイッチに係り、極めて小型かつ薄型で安定性、耐久性に優れたプッシュレバースイッチを提供するものである。
【０００２】
【先願発明】
横Ｕ字形ばね片（接点ばね片、ブラシ）とホルダー（プッシュレバー、作動子）を一体とした「接点ばね片」ユニットの構成は出願人がはじめて開発したものであり、これまで該接点ばね片ユニットに係る各種スイッチにつき多数件の特許出願を行っており、特開平５−２１１０２１号（特願平４−１８３００２号）（特許第３１１８０８６号）「プッシュスイッチ」特開平６−１２４６２３号（特願平４−２９７６６６号）「プッシュスイッチ」特開平１０−５０１７４号（特願平８−２１６１６４号）「スイッチのＵ形接点ばね片」などがある。
【０００３】
【従来の課題】
例えば、上記の特開平１０−５０１７４号に記載されたスイッチは極めて薄形に設けたものであり、そのＵ形接点ばね片は内外２重の狭長なばね片からなるものであるが、該Ｕ形接点ばね片をプッシュレバー（作動子）に一体的に取付けて接点ばね片ユニットを設けるにつき、その支持部（ばね接点作用上でばね性作用を行わない部分）を適宜取付けるようにしているが、極めて小形で狭長なばね片（例、幅１．０ｍｍ以下）をプッシュレバーに、数１０万回のスイッチ作用に耐久できるように安定的に取付けることが困難な課題があり、また、ばね片が小形狭長で２重にしてもなお弾力が弱いため、該ばね片の接点と固定接点とのチャタリングを生じない十分な接触圧を得ること及びプッシュレバー（作動子）の原位置復元力等が不足する等の課題があって、従来以上に小形薄形なプッシュレバースイッチの構成を可能とするためには、Ｕ形接点ばね片とプッシュレバーの間に両者の強固安定的な連結取付けを媒介すると共にばね片の弾力を増大することが出来る有効な手段の開発提供が希求されてきた。
【０００４】
【発明が解決した課題】
そこで、本発明は、上記の狭長な内外２重ばね片からなる接点ばね片をプッシュレバーに取付けるのに先立って、該２重接点ばね片を強固な金属製のＵ形部材であるばね片ホルダーにかしめ付け等の適宜の固着手段で強固一体的に固着して、耐久安定的構成でばね片の弾力を増大した「接点ばね片ユニット」を設け、該接点ばね片ユニットをプッシュレバーに取付けて「プッシュレバーユニット」を設けることによって、上記の課題を解決する一方、新たに上記の課題解決のために開発した接点ばね片ユニットを各種スイッチ用の可動接点部材（パーツ）として汎用することを開発て、将来に向かってＵ形接点ばね片の汎用性を格段に向上し得たものである。
【０００５】
【課題を解決する手段】
「プッシュスイッチ」
本発明は、支持部とＵ形部と先端を接点とした接点部からなる狭長な２枚のＵ形の接点ばね片を、外側接点ばね片の接点を内側接点ばね片の接点の前方にずらして重合して２重接点ばね片とし、
【０００６】
該２重接点ばね片の支持部を固着する取付部と、Ｕ形部及び接点部をカバーするＵ形部カバー及び接点部カバーからなり、Ｕ形部カバーの両側面に小支軸を突設したばね片ホルダーを金属片を曲成して設け、
【０００７】
該ばね片ホルダーの内側に上記２重接点ばね片を、その支持部と接点部を内方に圧縮した蓄力状態で嵌合すると共に支持部を取付部にかしめ付け等の固着手段で一体的に固着して接点ばね片ユニットを設け、
【０００８】
一方端の支軸と他方端の山形の操作部からなり、ケース等に枢支した該支軸を中心として操作部を設定角度回動自在に備えたプッシュレバーを設け、
【０００９】
該プッシュレバーの下面に上記接点ばね片ユニットの取付部を連係すると共に、同プッシュレバーの支軸の中心孔に接点ばね片ユニットの小支軸を同心軸状に嵌合して、プッシュレバーと接点ばね片ユニットを組合せたプッシュレバーユニットを設け、
【００１０】
該プッシュレバーユニットをケース内に挿入し、その支軸をケースの軸孔に枢支して設定角度回動自在に取付け、２重接点ばね片の外側接点ばね片の接点をケースの固定接点に接触（ＯＮ）し、内側接点ばね片の接点をケースの固定接点と離隔（ＯＦＦ）相対して備えると共に、該プッシュレバーユニットを２重接点ばね片の復元弾力で支軸を中心として上方付勢回動してその操作部をケース外に突出して備えたものである、プッシュレバースイッチによって課題を解決したものである。
【００１１】
【課題を解決する手段】
「押ボタンスイッチ」
また、本発明は、接点ばね片ユニットをケース内に挿入し、そのＵ形部カバーの支軸をケースの軸孔に軸架して設定角度回動自在に枢支すると共に外側接点ばね片の接点をケースの固定接点に接触（ＯＮ）し、該接点ばね片ユニットの取付部上に押ボタンの支持部を位置せしめ、外側接点ばね片の復元弾力で接点ばね片ユニットを上方付勢回動すると共に押ボタンのボタン部をケース外に突出して備え、また、内側接点ばね片の接点をケースの固定接点と離隔（ＯＦＦ）して備えた、押ボタンスイッチによって課題を解決したものである。
【００１２】
【課題を解決する手段】
「各種スイッチ用の接点ばね片ユニット」
更に、本発明は、支持部とＵ形部と先端を接点とした接点部からなる２枚のＵ形の接点ばね片を、外側接点ばね片の接点を内側接点ばね片の接点の前方にずらして重合して２重接点ばね片とし、
該２重接点ばね片の支持部、Ｕ形部及び接点部をカバーする取付部、Ｕ形部カバー及び接点部カバーからなり、Ｕ形部カバーの両側面に小支軸を突設したばね片ホルダーを金属片を曲成して設け、該ばね片ホルダーのＵ形部カバー内に上記２重接点ばね片を、その支持部と接点部を内方に圧縮した蓄力状態で嵌合すると共に支持部を取付部にかしめ付け等の固着手段で一体的に固着して備えたものである、各種スイッチ用の接点ばね片ユニットによって課題を解決したものである。
【００１３】
【実施例】
「プッシュレバースイッチ」（図１〜図１２を参照）
支持部２とＵ形部３と先端を接点ａ、ａ´とした接点部４からなる狭長な２枚のＵ形の接点ばね片１ａ、１ｂを、外側接点ばね片１ａの接点ａを内側接点ばね片１ｂの接点ａ´の前方にずらして重合して２重接点ばね片１ａ、１ｂとし、
【００１４】
該２重接点ばね片１ａ、１ｂの支持部２を固着する取付部６と、Ｕ形部３及び接点部４をカバーするＵ形部カバー７及び接点部カバー８からなり、Ｕ形部カバー７の両側面に小支軸９を突設したばね片ホルダー５を金属片を曲成して設け、
【００１５】
該ばね片ホルダー５の内側に上記２重接点ばね片１ａ、１ｂを、その支持部２、２と接点部４、４を内方に圧縮した蓄力状態で嵌合すると共に支持部２、２を取付部６にかしめ付け等の固着手段で一体的に固着して接点ばね片ユニットＡを設け、
【００１６】
一方端の支軸１１と他方端の山形の操作部１２からなり、ケース１３等に枢支した該支軸１１を中心として操作部１２を設定角度回動自在に備えたプッシュレバー１０を設け、
【００１７】
該プッシュレバー１０の下面に上記接点ばね片ユニットＡの取付部６を連係すると共に、同プッシュレバー１０の支軸１１の中心孔１１ａに接点ばね片ユニットＡの小支軸９を同心軸状に嵌合して、プッシュレバー１０と接点ばね片ユニットＡを組合せたプッシュレバーユニットＢを設け、
【００１８】
該プッシュレバーユニットＢをケース１３内に挿入し、その支軸１１をケース１３の軸孔１４に枢支して設定角度回動自在に取付け、２重接点ばね片１ａ、１ｂの外側接点ばね片１ａの接点ａをケース１３の固定接点１５に接触（ＯＮ）し、内側接点ばね片１ｂの接点ａ´をケース１３の固定接点１６と離隔（ＯＦＦ）相対して備えると共に、該プッシュレバーユニットＢを２重接点ばね片１ａ、１ｂの復元弾力で支軸１１を中心として上方付勢回動してその操作部１２をケース１３外に突出して備えて、プッシュレバースイッチを設けたものである。
【００１９】
接点ばね片ユニットＡの、２重接点ばね片１ａ、１ｂの支持部２とばね片ホルダー５の取付部６を固着する手段は、外側接点ばね片１ａの支持部２の両側に突設した小突片２ａを内側接点ばね片１ｂの支持部２及びばね片ホルダー５の取付部６に巻き付けかしめ付けて一体的に固着するなど、３者を一体的に固着する手段であれば、かしめ付け、溶接、ハンダ付け、若しくは接着剤接着など適宜である。
【００２０】
接点ばね片ユニットＡの図示実施例（図４〜図７）につき説明すると、外側接点ばね片１ａは支持部２とＵ形部３と先端を接点ａとした接点部４からなり、支持部２の両側に小突片２ａを突設すると共に支持部２の先端をく形に曲げて設け（図５）、内側接点ばね片１ｂは支持部２とＵ形部３と先端を接点ｂとした接点部４からなり、支持部２の先端にコ形部２ｂを形成すると共に接点部４を外側接点ばね片１ａの接点部４より短く形成して設け（図６）、ばね片ホルダー５は取付部６とＵ形部カバー７と接点部カバー８からなり、Ｕ形部カバー７の両側面に小支軸９を突設して設け（図７）、
【００２１】
上記の外側接点ばね片１ａと内側接点ばね片１ｂを重合して２重接点ばね片１ａ、１ｂとし、該２重接点ばね片１ａ、１ｂをばね片ホルダー５の内側にその支持部２、２と接点部４、４を内方に圧縮した蓄力状態で嵌合すると共に、外側接点ばね片１ａの支持部２の両側に突設した小突片２ａを内側接点ばね片１ｂの支持部２及びばね片ホルダー５の取付部６に巻き付け両先端を取付部６にかしめ付けて、３者２、２、６を一体的に固着し、また外側接点ばね片１ａの支持部２のく形曲げ端を内側接点ばね片１ｂの支持部２下面に圧接せしめて、接点ばね片ユニットＡ（図４）を設けたものである。
【００２２】
接点ばね片ユニットＡをプッシュレバー１０に取付けてプッシュレバーユニットＢを設ける手段は適宜であるが、例えば、図示例（図１、図２を参照）のように、プッシュレバー１０（図８、図９を参照）の一方端下部に接点ばね片ユニットＡのＵ形部カバー７を挿入する凹部１７を形成し、該凹部１７の左右側に支軸１１を突設し、該支軸１１の中心に中心孔１１ａをあけると共に該中心孔１１ａと支軸１１下面の間にスリット１１ｂをあけて備え、接点ばね片ユニットＡを上記凹部１７に嵌挿してその両側の小支軸９を上記スリット１１ｂを通して該中心孔１１ａに嵌合して両軸を同心軸状に取付ける一方、プッシュレバー１０の下面に突設したリブ１８に接点ばね片ユニットＡの内側接点ばね片１ｂの支持部２の先端に形成したコ形部２ｂを、該接点ばね片ユニットＡ先端の左右振れを防止する状態に嵌合して両者を取付けるするように備えたものである。
【００２３】
【実施例】
「押ボタンスイッチ」（図１３を参照）
【請求項５】
接点ばね片ユニットＡをケース内１３に挿入し、そのＵ形部カバー７の支軸９をケース１３の軸孔１４に軸架して設定角度回動自在に枢支すると共に外側接点ばね片１ａの接点ａをケース１３の固定接点１５に接触（ＯＮ）し、該接点ばね片ユニットＡの取付部６上に押ボタンＣの支持部を位置せしめ、外側接点ばね片１ａの復元弾力で接点ばね片ユニットＡを上方付勢回動すると共に押ボタンＣのボタン部をケース外１３に突出して備え、また、内側接点ばね片１ｂの接点ａ´をケース１３の固定接点１６と離隔（ＯＦＦ）して備えて設けた、押ボタンスイッチである。
【００２４】
【実施例】（図４、図２、図１３等を参照）
「各種スイッチ用の接点ばね片ユニット」
更に、本発明は、支持部２とＵ形部３と先端を接点ａ、ａ´とした接点部４からなる２枚のＵ形の接点ばね片１ａ、１ｂを、外側接点ばね片１ａの接点ａを内側接点ばね片１ｂの接点ａ´の前方にずらして重合して２重接点ばね片１ａ、１ｂとし、
該２重接点ばね片１ａ、１ｂの支持部２、Ｕ形部３及び接点部４をカバーする取付部６、Ｕ形部カバー７及び接点部カバー８からなり、Ｕ形部カバー７の両側面に小支軸９を突設したばね片ホルダー５を金属片を曲成して設け、該ばね片ホルダー５のＵ形部カバー７内に上記２重接点ばね片１ａ、１ｂを、その支持部２、２と接点部４、４を内方に圧縮した蓄力状態で嵌合すると共に支持部２、２を取付部６にかしめ付け等の固着手段で一体的に固着して備えて、各種スイッチ用の接点ばね片ユニットＡを設けたものである。
【００２５】
【作用】
プッシュレバーの操作部１２若しくは押ボタンＣ等を押下するなどによって、接点ばね片ユニットＡを支軸１１若しくは９を支点として回動すると、その２重接点ばね片１ａ、１ｂが同時回動し、コモン回路として当初から接触していた外側接点ばね片１ａの接点ａがより強く固定接点１５に圧接すると同時に内側接点ばね片１ｂの接点ａ´が固定接点１６に圧接してスイッチＯＮする。
【００２６】
操作部１２若しくは押ボタンＣ等の押下を解くと、２重接点ばね片１ａ、１ｂの復元弾力によって、接点ばね片ユニットＡが支軸１１若しくは９を支点として復元回動して、内側接点ばね片１ｂの接点ａ´が固定接点１６から離隔してスイッチＯＦＦ（外側接点ばね片１ａの接点ａは固定接点１５に接触したまま）　すると同時に、プッシュレバーの操作部１２若しくは押ボタンＣも原状に復帰する。
【００２７】
【効果】
接点ばね片ユニットを、２重接点ばね片を強固な金属製のばね片ホルダーにその支持部と接点部を内方に圧縮した蓄力状態で嵌合すると共に支持部を取付部にかしめ付け等の固着手段で一体的に固着して設けるようにしたので、各接点ばね片の接点部が強い弾力を保有し得て接点ばね片の幅（ばね片ホルダーと略同幅に設定）を極めて小さく設定した場合でもスイッチとしての作用、効果、即ち接点ばね片の可動接点とケースの固定接点の設定接触圧の維持、チャタリング防止、及び圧接こじりによるクリーニング等の作用、効果を発揮するのに充分なばね弾力が得られる。
【００２８】
同じく、接点ばね片ユニットを２重接点ばね片を強固な金属製のばね片ホルダーにその支持部と接点部を内方に圧縮した蓄力状態で嵌合すると共に支持部を取付部にかしめ付け等の固着手段で一体的に固着して設けるようにしたので、極めて強固安定的で耐久性に優れたな構成の接点ばね片ユニットを設けることができる。
【００２９】
上記の特性によって、強固な基幹となるばね片ホルダーの幅と合わせて接点ばね片の幅及びプッシュレバーの幅（厚さ）を設定でき、よって、極めて小型かつ薄形のプッシュレバースイッチを構成できる革新的な特徴がある。
【００３０】
接点ばね片ユニットのばね片ホルダーのＵ形部カバーに小支軸を突設して、該小支軸をプッシュレバーの支軸と同心軸状に取付けたので、プッシュレバーの支軸を支点とした回動操作時に接点ばねユニットも同支点、同軌道回転することになって、操作用のアンバランスを生じない特徴がある。
【００３１】
プッシュレバーユニットを、プッシュレバーの支軸のスリットに接点ばね片ユニットの小支軸を通して両支軸を同心軸状に取付けると共に、プッシュレバーの下面に突設したリブに接点ばね片ユニットの内側接点ばね片のコ形部を嵌合するだけで、極めて簡単かつ迅速に組立て及び取外しができる利点があり、また、ケースに装着後は組立方向の外れを２重接点ばね片の弾力で有効に防止し得る特徴がある。
【００３２】
接点ばねユニットはそれを操作するプッシュレバー、押ボタン等の形状、寸法等に関係なくケース内等に設置してその作用、効果を発揮できる特性を有するので、該接点ばね片ユニットを独立した部材（パーツ）として、種々のスイッチに汎用し得る多大な利点がある。
【図面の簡単な説明】
【図１】本発明の実施例プッシュスイッチの正面図、平面図、右側面図、及び背面図。
【図２】図１の平面図のＤ−Ｄ線断面矢視図。
【図３】図２の作用説明図。
【図４】接点ばね片ユニットの正面図、平面図、及びＥ方向矢視図。
【図５】外側接点ばね片の正面図、平面図、及び左側面図。
【図６】内側接点ばね片の正面図、平面図、及び左側面図。
【図７】ばね片ホルダーの正面図、平面図、及び左側面図。
【図８】プッシュレバーの正面図、平面図、右側面図、及び底面図。
【図９】図８の平面図のＦ−Ｆ線断面矢視図。
【図１０】ケースの正面図、平面図、右側面図、及び背面図。
【図１１】図１０の平面図のＧ−Ｇ線断面矢視図。
【図１２】図１０の平面図のＨ−Ｈ線断面矢視図。
【図１３】本発明の実施例押ボタンスイッチの縦断正面図。
【符号の説明】
Ａ　　　接点ばね片ユニット
Ｂ　　　プッシュレバーユニット
Ｃ　　　押ボタン
ａ、ａ´　接点
１ａ　　外側接点ばね片
１ｂ　　内側接点ばね片
２　　　支持部
２ａ　　小突片
２ｂ　　コ形部
３　　　Ｕ形部
４　　　接点部
５　　　ばね片ホルダー
６　　　取付部
７　　　Ｕ形部カバー
８　　　接点部カバー
９　　　小支軸
１０　　プッシュレバー
１１　　支軸
１１ａ　中心孔
１１ｂ　スリット
１２　　操作部
１３　　ケース
１４　　軸孔
１５　　固定接点（コモン）
１６　　固定接点
１７　　凹部
１８　　リブ
【図１】
2004063450.tif 000003
【図２】
2004063450.tif 000004
【図３】
2004063450.tif 000005
【図４】
2004063450.tif 000006
【図５】
2004063450.tif 000007
【図６】
2004063450.tif 000008
【図７】
2004063450.tif 000009
【図８】
2004063450.tif 000010
【図９】
2004063450.tif 000011
【図１０】
2004063450.tif 000012
【図１１】
2004063450.tif 000013
【図１２】
2004063450.tif 000014
【図１３】
2004063450.tif 000015